【手続補正書】
【提出日】平成26年7月15日(2014.7.15)
【手続補正１】
【補正対象書類名】特許請求の範囲
【補正対象項目名】全文
【補正方法】変更
【補正の内容】
【特許請求の範囲】
【請求項１】
無線通信システム内で動作可能な装置であって、
第１の登録が要求されるか否かを決定するためのコンポーネント、
前記第１の登録を実行するためのコンポーネント、ここで、前記第１の登録は、前記第１の登録が要求されることが決定される場合に実行される、および、
第２の登録エリアを発生するためのコンポーネント
を具備し、前記第２の登録エリアは、放射状の地理的エリアを具備し、前記放射状の地理的エリアの半径は、第１の登録エリア内の第１の位置と前記第１の登録エリアの外部の第２の位置との間の距離である、装置。
【請求項２】
前記第１の登録が要求されるか否かを決定するための前記コンポーネントは、現在の位置が前記第１の登録エリアの外部にあるか否かを決定するためのコンポーネントを備える、
請求項１記載の装置。
【請求項３】
前記現在の位置が前記第１の登録エリアの外部にあるか否かを決定するための前記コンポーネントはアクセス端末の現在の位置を決定するためのコンポーネントを備える、
請求項２記載の装置。
【請求項４】
前記アクセス端末の前記現在の位置を決定するための前記コンポーネントはグローバルポジショニングシステム（ＧＰＳ）を具備する、
請求項３記載の装置。
【請求項５】
第２の登録が要求されるか否かを決定するためのコンポーネント、
前記第２の登録を実行するためのコンポーネント、ここで、前記第２の登録は、前記第２の登録が要求されることが決定される場合に実行される、および、
第３の登録エリアを発生するためのコンポーネント、
をさらに具備し、前記第３の登録エリアは、放射状の地理的エリアを具備し、前記放射状の地理的エリアの半径は、前記第１の登録エリア内の前記第１の位置と前記第２の登録エリアの外部の第３の位置との間の距離である、請求項１記載の装置。
【請求項６】
前記第１の登録エリアから前記第２の登録エリアに移行するためのコンポーネントをさらに備え、前記第１の登録エリアは小さく、および前記第２の登録エリアは大きい、
請求項１記載の装置。
【請求項７】
前記第１の登録が要求されるか否かを決定するための前記コンポーネントは、アクセス端末の位置を決定するためのコンポーネントおよび前記位置が前記第１の登録エリアの外部にあるか否かを決定するためのコンポーネントを具備する、
請求項１記載の装置。
【請求項８】
前記アクセス端末の前記位置を決定するための前記コンポーネントはサービングアクセス点の経度および緯度値を使用するためのコンポーネントを備える、
請求項７記載の装置。
【請求項９】
前記アクセス端末の前記位置を決定するための前記コンポーネントは前記アクセス端末の前記位置を得るためにＧＰＳを使用するためのコンポーネントを備える、
請求項８記載の装置。
【請求項１０】
前記アクセス端末の前記位置を決定するための前記コンポーネントは前記アクセス端末が交差した登録エリアの数についての情報を使用するためのコンポーネントを備える、
請求項８記載の装置。
【請求項１１】
アクセス端末である請求項１記載の装置。
【請求項１２】
第２の登録エリアを発生するための前記コンポーネントは、パワーセービングモードである間に前記第２の登録エリアを発生する、
請求項１記載の装置。
【請求項１３】
前記第１の登録エリアは、基地局のカバレッジエリアである、請求項１記載の装置。
【請求項１４】
前記第１の位置は、前記基地局の位置である、請求項１３記載の装置。
【請求項１５】
前記第１の位置は、アクセス端末の以前の位置である、請求項１３記載の装置。
【請求項１６】
無線通信システム内で登録エリアを調整するための無線装置における方法であって、
第１の登録が要求されるか否かを決定すること、
前記第１の登録が要求されることが決定される場合、前記第１の登録を実行すること、および、
第２の登録エリアを発生すること、
を含み、前記第２の登録エリアは、放射状の地理的エリアを具備し、前記放射状の地理的エリアの半径は、第１の登録エリア内の第１の位置と前記第１の登録エリアの外部の第２の位置との間の距離である、方法。
【請求項１７】
前記第１の登録が要求されるか否かを決定することは、現在の位置が前記第１の登録エリアの外部にあるか否かを決定することを備える、
請求項１６記載の方法。
【請求項１８】
前記現在の位置が前記第１の登録エリアの外部にあるか否かを決定することはアクセス端末の現在の位置を決定することを備える、
請求項１７記載の方法。
【請求項１９】
前記アクセス端末の前記現在の位置を決定することはグローバルポジショニングシステム（ＧＰＳ）を使用することを具備する、
請求項１８記載の方法。
【請求項２０】
第２の登録が要求されるか否かを決定すること、
前記第２の登録が要求されることが決定される場合、前記第２の登録を実行すること、および、
第３の登録エリアを発生すること、
をさらに備え、前記第３の登録エリアは、放射状の地理的エリアを具備し、前記放射状の地理的エリアの半径は、前記第１の登録エリア内の前記第１の位置と前記第２の登録エリアの外部の第３の位置との間の距離である、請求項１６記載の方法。
【請求項２１】
前記第１の登録エリアから前記第２の登録エリアに移行することをさらに備え、前記第１の登録エリアは小さくそして前記第２の登録エリアは大きい、
請求項１６記載の方法。
【請求項２２】
前記第１の登録が要求されるか否かを前記決定することは、アクセス端末の位置を決定することおよび前記位置が前記第１の登録エリアの外部にあるか否かを決定することを具備する、請求項１６記載の方法。
【請求項２３】
前記アクセス端末の前記位置を決定することはサービングアクセス点の経度および緯度値を使用することを具備する、
請求項２２記載の方法。
【請求項２４】
前記アクセス端末の前記位置を決定することは前記アクセス端末の前記位置を得るためにＧＰＳを使用することを具備する、請求項２３記載の方法。
【請求項２５】
前記アクセス端末の前記位置を決定することは前記アクセス端末が交差した登録エリアの数についての情報を使用することを具備する、
請求項２３記載の方法。
【請求項２６】
前記第１の登録エリアは、基地局のカバレッジエリアである、請求項１６記載の方法。
【請求項２７】
前記第１の位置は、前記基地局の位置である、請求項２６記載の方法。
【請求項２８】
前記第１の位置は、アクセス端末の以前の位置である、請求項２６記載の方法。
【請求項２９】
通信システム内で動作可能な装置であって、
第１の登録が要求されるか否かを決定し、
前記第１の登録が要求されることが決定される場合、前記第１の登録を実行し、
第２の登録エリアを発生する
ように構成されたプロセッサを備え、前記第２の登録エリアは、放射状の地理的エリアを具備し、前記放射状の地理的エリアの半径は、第１の登録エリア内の第１の位置と前記第１の登録エリアの外部の第２の位置との間の距離である、装置。
【請求項３０】
前記プロセッサは現在の位置が前記第１の登録エリアの外部にあるか否かを決定するようにさらに構成される、
請求項２９記載の装置。
【請求項３１】
前記プロセッサは現在の位置を決定するようにさらに構成される、
請求項３０記載の装置。
【請求項３２】
前記プロセッサは、グローバルポジショニングシステム（ＧＰＳ）を使用して現在の位置を決定するようにさらに構成される、
請求項２９記載の装置。
【請求項３３】
前記プロセッサは、
第２の登録が要求されるか否かを決定し、
前記第２の登録が要求されることが決定される場合、前記第２の登録を実行し、
第３の登録エリアを発生する
ようにさらに構成され、前記第３の登録エリアは、放射状の地理的エリアを具備し、前記放射状の地理的エリアの半径は、前記第１の登録エリア内の前記第１の位置と前記第２の登録エリアの外部の第３の位置との間の距離である、請求項２９記載の装置。
【請求項３４】
前記第１の登録エリアは、基地局のカバレッジエリアである、請求項２９記載の装置。
【請求項３５】
前記第１の位置は、前記基地局の位置である、請求項３４記載の装置。
【請求項３６】
前記第１の位置は、アクセス端末の以前の位置である、請求項３４記載の装置。
【請求項３７】
非一時的な機械可読媒体であって、機械によって実行される時に、前記機械に、
第１の登録が要求されるか否かを決定すること、
前記第１の登録が要求されることが決定される場合、前記第１の登録を実行すること、および、
第２の登録エリアを発生すること
を含む動作を行わせる命令を含み、前記第２の登録エリアは、放射状の地理的エリアを具備し、前記放射状の地理的エリアの半径は、第１の登録エリア内の第１の位置と前記第１の登録エリアの外部の第２の位置との間の距離である、非一時的な機械可読媒体。
【請求項３８】
第１の登録が要求されるか否かを前記決定することは、現在の位置が前記第１の登録エリアの外部にあるか否かを決定することを備える、
請求項３７記載の機械可読媒体。
【請求項３９】
現在の位置が前記第１の登録エリアの外部にあるか否かを前記決定することはアクセス端末の現在の位置を決定することを備える、
請求項３８記載の機械可読媒体。
【請求項４０】
機械によって実行される時に、前記機械に、
第２の登録が要求されるか否かを決定すること、
前記第２の登録が要求されることが決定される場合、前記第２の登録を実行すること、および、
第３の登録エリアを発生すること、
を含む動作を行わせる命令をさらに含み、前記第３の登録エリアは、放射状の地理的エリアを具備し、前記放射状の地理的エリアの半径は、前記第１の登録エリア内の前記第１の位置と前記第２の登録エリアの外部の第３の位置との間の距離である、請求項３７記載の機械可読媒体。
【請求項４１】
前記第１の登録エリアは、基地局のカバレッジエリアである、請求項３７記載の機械可読媒体。
【請求項４２】
前記第１の位置は、前記基地局の位置である、請求項４１記載の機械可読媒体。
【請求項４３】
前記第１の位置は、アクセス端末の以前の位置である、請求項４１記載の機械可読媒体。
【請求項４４】
通信システム内で動作可能な装置であって、
第１の登録が要求されるか否かを決定し、
前記第１の登録が要求されることが決定される場合、前記第１の登録を実行し、
第２の登録エリアを発生する
ように構成されたプロセッサであって、前記第２の登録エリアは、放射状の地理的エリアを具備し、前記放射状の地理的エリアの半径は、第１の登録エリア内の第１の位置と前記第１の登録エリアの外部の第２の位置との間の距離である、プロセッサ、
登録エリアのパラメータを蓄積するように構成されたメモリ、および、
登録要求を送信するように構成された送信器、
を備える装置。
【請求項４５】
通信システム内で動作可能な装置であって、
第１の登録要求を第１の登録エリアの外部にあるアクセス端末から受信するためのコンポーネント、および、
前記アクセス端末のための調整された登録エリアに基づいて、および前記第１の登録要求を受信することに応じて、前記アクセス端末のためのページングエリアを調整するためのコンポーネント、
を具備し、前記調整された登録エリアは、放射状の地理的エリアを具備し、前記放射状の地理的エリアの半径は、前記第１の登録エリア内の第１の位置と前記第１の登録エリアの外部の第２の位置との間の距離である、装置。
【請求項４６】
無線通信システム内のページングエリアを調整するための方法であって、
第１の登録要求を第１の登録エリアの外部にあるアクセス端末から受信すること、および、
前記アクセス端末のための調整された登録エリアに基づいて、および前記第１の登録要求を受信することに応じて、前記アクセス端末のためのページングエリアを調整すること、
を含み、前記調整された登録エリアは、放射状の地理的エリアを具備し、前記放射状の地理的エリアの半径は、前記第１の登録エリア内の第１の位置と前記第１の登録エリアの外部の第２の位置との間の距離である、方法。
【手続補正２】
【補正対象書類名】明細書
【補正対象項目名】００４７
【補正方法】変更
【補正の内容】
【００４７】
開示された態様の前の説明はこの分野の任意の技術者が本態様を製作または使用することを可能とするように提供される。これらの態様へのいろいろな変更はこの分野の技術者にはたやすく明白であるだろうし、そしてこの中に定義された包括的な原理はこの態様の精神または範囲から逸脱すること無しに他の態様に適用されてもよい。従って、この明細書はこの中に示された態様に制限されるつもりはなく、しかしこの中に開示された原理および新規な特徴と矛盾しない最も広い範囲が許容されるべきである。
以下に、本願出願の当初の特許請求の範囲に記載された発明を付記する。
［Ｃ１］
無線通信システム内で動作可能な装置であって、
第１の登録が要求されるか否かを決定するための手段、
第１の登録が要求されることを決定したならば、第１の登録を実行するための手段、および、
第２の登録エリアを発生するための手段
を具備する装置。
［Ｃ２］
第１の登録が要求されるか否かを決定するための該手段は、現在の位置が第１の登録エリアの外部にあるか否かを決定するための手段を備える、
［Ｃ１記載の装置。
［Ｃ３］
現在の位置が第１の登録エリアの外部にあるか否かを決定するための該手段はアクセス端末の該現在の位置を決定するための手段を備える、
［Ｃ２記載の装置。
［Ｃ４］
第２の登録エリアを発生するための該手段は新登録エリアを決定し、そしてそれを第１の登録エリアに加えるための手段を備える、
［Ｃ２記載の装置。
［Ｃ５］
第２の登録エリアを発生するための該手段は現在のサービス基地局のカバレッジエリアを使用している新エリアを発生するための手段を備える、
［Ｃ１記載の装置。
［Ｃ６］
第２の登録エリアを発生するための該手段は現在の位置を使用している新エリアを発生するための手段を備える、
［Ｃ１記載の装置。
［Ｃ７］
現在の位置を使用するための該手段はグローバルポジショニングシステム（ＧＰＳ）を使用している該現在の位置を決定するための手段から成る、
［Ｃ６記載の装置。
［Ｃ８］
第２の登録エリアを発生するための該手段は第１のアクセス点の位置を使用している新エリアを発生するための手段を備える、
［Ｃ１記載の装置。
［Ｃ９］
該第１のアクセス点の位置を使用するための該手段は該第１のアクセス点の経度および緯度値を使用するための手段を備える、
［Ｃ８記載の装置。
［Ｃ１０］
さらに、第２の登録が要求されるか否かを決定するための手段、
第２の登録が要求されることを決定したならば、第２の登録を実行するための手段、および、
第３の登録エリアを発生するための手段、
を具備する［Ｃ１記載の装置。
［Ｃ１１］
第１の登録エリアから該第２の登録エリアに移行するための手段をさらに備え、該第１の登録エリアは小さいおよび第２の登録エリアは大きい、
［Ｃ１記載の装置。
［Ｃ１２］
該第１の登録が要求されるか否かを決定するための該手段は、該アクセス端末の位置を決定するための手段および該位置が第１の登録エリアの外部にあるか否かを決定するための手段を含む、
［Ｃ１記載の装置。
［Ｃ１３］
該位置を決定するための該手段はサービングアクセス点の経度および緯度値を使用するための手段を備える、
［Ｃ１２記載の装置。
［Ｃ１４］
該位置を決定するための該手段は該アクセス端末の該位置を得るためにＧＰＳを使用するための手段を備える、
［Ｃ１３記載の装置。
［Ｃ１５］
該位置を決定するための該手段は該アクセス端末が交差した該登録数についての情報を使用するための手段を備える、
［Ｃ１３記載の装置。
［Ｃ１６］
無線通信システム内で登録エリアを調整するための方法であって、
第１の登録が要求されるか否かを決定すること、
第１の登録が要求されることを決定したならば、第１の登録を実行すること、および、
第２の登録エリアを発生すること、
を含む方法。
［Ｃ１７］
第１の登録が要求されるか否かを該決定することは、現在の位置が第１の登録エリアの外部にあるか否かを決定することを含む、
［Ｃ１６記載の方法。
［Ｃ１８］
現在の位置が第１の登録エリアの外部にあるか否かを該決定することはアクセス端末の該現在の位置を決定することを含む、
［Ｃ１７記載の方法。
［Ｃ１９］
第２の登録エリアを該発生することは新登録エリアを決定することそしてそれを第１の登録エリアに加えることを含む、
［Ｃ１７記載の方法。
［Ｃ２０］
第２の登録エリアを該発生することは現在のサービス基地局のカバレッジエリアを使用している新エリアを発生することを含む、
［Ｃ１６記載の方法。
［Ｃ２１］
第２の登録エリアを該発生することは現在の位置を使用している新エリアを発生することを含む、
［Ｃ１６記載の方法。
［Ｃ２２］
現在の位置を使用することはグローバルポジショニングシステム（ＧＰＳ）を使用している該現在の位置を決定することを含む、
［Ｃ２１記載の方法。
［Ｃ２３］
第２の登録エリアを該発生することは第１のアクセス点の位置を使用している新エリアを発生することを含む、
［Ｃ１６記載の方法。
［Ｃ２４］
該第１のアクセス点の位置を使用することは該第１のアクセス点の経度および緯度値を使用することを含む、
［Ｃ２３記載の方法。
［Ｃ２５］
さらに、第２の登録が要求されるか否かを決定すること、
第２の登録が要求されることを決定したならば、第２の登録を実行すること、および、
第３の登録エリアを発生すること、
を含む［Ｃ１６記載の方法。
［Ｃ２６］
第１の登録エリアから該第２の登録エリアに移行することをさらに含み、該第１の登録エリアは小さくそして第２の登録エリアは大きい、
［Ｃ１６記載の方法。
［Ｃ２７］
該第１の登録が要求されるか否かを該決定することは、該アクセス端末の位置を決定することおよび該位置が第１の登録エリアの外部にあるか否かを決定することを含む、［Ｃ１６記載の方法。
［Ｃ２８］
該位置を該決定することはサービングアクセス点の経度および緯度値を使用することを含む、
［Ｃ２７記載の方法。
［Ｃ２９］
ここにおいて該位置を該決定することは該アクセス端末の該位置を得るためにＧＰＳを使用するための手段から成る、［Ｃ２８記載の方法。
［Ｃ３０］
該位置を該決定することは該アクセス端末が交差した該登録数についての情報を使用することを含む、
［Ｃ２８記載の方法。
［Ｃ３１］
無線通信システム内で動作可能な装置であって、
第１の登録が要求されるか否かを決定するように構成されたプロセッサを含み、なお第１の登録が要求されることを決定したならば、該プロセッサは第１の登録を実行するようにさらに構成され、そして該プロセッサは第２の登録エリアを発生するようにさらに構成される装置。
［Ｃ３２］
該プロセッサは現在の位置が第１の登録エリアの外部にあるか否かを決定するようにさらに構成される、
［Ｃ３１記載の装置。
［Ｃ３３］
該プロセッサは該現在の位置を決定するようにさらに構成される、
［Ｃ３２記載の装置。
［Ｃ３４］
該プロセッサは新登録エリアを決定するおよびそれを第１の登録エリアに加えるようにさらに構成される、
［Ｃ３２記載の装置。
［Ｃ３５］
該プロセッサは現在のサービス基地局のカバレッジエリアを使用している新エリアを発生するようにさらに構成される、
［Ｃ３１記載の装置。
［Ｃ３６］
該プロセッサは現在の位置を使用している新エリアを発生するようにさらに構成される、［Ｃ３１記載の装置。
［Ｃ３７］
該プロセッサはグローバルポジショニングシステム（ＧＰＳ）を使用している該現在の位置を決定するようにさらに構成される、
［Ｃ３６記載の装置。
［Ｃ３８］
該プロセッサは第１のアクセス点の位置を使用している新エリアを発生するようにさらに構成される、
［Ｃ３１記載の装置。
［Ｃ３９］
該プロセッサはアクセス点の該位置を決定するために該第１のアクセス点の経度および緯度値を使用するようにさらに構成される、
［Ｃ３８記載の装置。
［Ｃ４０］
該プロセッサは第２の登録が要求されるか否かを決定するようにさらに構成され、第２の登録が要求されることを決定したならば、該プロセッサは第２の登録を実行するようにさらに構成され、および該プロセッサは第３の登録エリアを発生するようにさらに構成される、
［Ｃ３１記載の装置。
［Ｃ４１］
機械可読媒体であって、機械によって実行した時に、該機械に
第１の登録が要求されるか否かを決定すること、
第１の登録が要求されることを決定したならば、第１の登録を実行すること、および、
第２の登録エリアを発生すること
を含む動作を行わせる命令を含む機械可読媒体。
［Ｃ４２］
第１の登録が要求されるか否かを該決定することは、現在の位置が第１の登録エリアの外部にあるか否かを決定することを含む、
［Ｃ４１記載の機械可読媒体。
［Ｃ４３］
現在の位置が第１の登録エリアの外部にあるか否かを該決定することはアクセス端末の該現在の位置を決定することを含む、
［Ｃ４２記載の機械可読媒体。
［Ｃ４４］
第２の登録エリアを該発生することは新登録エリアを決定するおよびそれを第１の登録エリアに加えることを含む、
［Ｃ４２記載の機械可読媒体。
［Ｃ４５］
さらに、第２の登録が要求されるか否かを決定すること、
第２の登録が要求されることを決定したならば、第２の登録を実行すること、および、
第３の登録エリアを発生すること、
を含む［Ｃ４１記載の機械可読媒体。
［Ｃ４６］
無線通信システム内で動作可能な装置であって、
第１の登録が要求されるか否かを決定するように構成されたプロセッサ、なお、第１の登録が要求されることを決定したならば、該プロセッサは第１の登録を実行するようにさらに構成され、そして該プロセッサは第２の登録エリアを発生するようにさらに構成され、
登録エリア用の該パラメータを蓄積するように構成されたメモリ、および、
登録要求を送信するように構成された送信器、
を含む装置。
［Ｃ４７］
無線通信システム内で動作可能な装置であって、
第１の登録要求を該第１の登録エリアの外部にあるアクセス端末から受信するための手段、および、
該第１の登録要求を受信することに応じて該アクセス端末のための該ページングエリアを調整するための手段、
を具備する装置。
［Ｃ４８］
無線通信エリア内のページングエリアを調整するための方法であって、
第１の登録要求を該第１の登録エリアの外部にあるアクセス端末から受信すること、および、
該第１の登録要求を受信することに応じて該アクセス端末のための該ページングエリアを調整すること、
を含む方法。